(57)【特許請求の範囲】
【請求項１】
固定型または可動型を一方型とし、該一方型と相対する固定型または可動型を他方型とする金型により、開口を有する板状の合成樹脂製品を成形する方法であって、合成樹脂製品の一方の面を成形するための型面が一方型に形成され、該合成樹脂製品の他方の面を成形する中央域成形用型板と、開口を形成するコア部と、該合成樹脂製品の外周域を成形する外周域成形用型板とが他方型に設けられ、コア部と外周域成形用型板とは中央域成形用型板に対して相対的に進退動可能に配設され、一方型と他方型とをわずかに離れた接近状態にすると共にコア部と外周域成形用型板とを進出させて一方型の型面に圧接することにより拡大キャビティが形成され、該キャビティに溶融樹脂を充填した後、該コア部と外周域成形用型板とを該型面に圧接させた状態を保ちつつ型閉めすることにより該溶融樹脂が加圧されるようにし、該溶融樹脂が冷却・固化した後の型開状態にて前記コア部を前記中央域成形用型板に対して相対的に後退動することにより該コア部を合成樹脂製品から離脱させ、その後に該合成樹脂製品を前記中央域成形用型板から離脱させることを特徴とする射出圧縮成形法。
【請求項２】
前記外周域成形用型板を突き出すことにより前記合成樹脂製品を前記中央域成形用型板から離脱させることを特徴とする請求項１に記載した射出圧縮成形法。
【請求項３】
固定型または可動型を一方型とし、該一方型と相対する固定型または可動型を他方型とする金型により、開口を有する板状の合成樹脂製品を成形する方法であって、合成樹脂製品の一方の面を成形するための型面が一方型に形成され、該合成樹脂製品の他方の面を成形する中央域成形用型板と、開口を形成するコア部と、該合成樹脂製品の外周域を成形する外周域成形用型板とが他方型に設けられ、コア部と外周域成形用型板とは中央域成形用型板に対して相対的に進退動可能に配設され、一方型と他方型とをわずかに離れた接近状態にすると共にコア部と外周域成形用型板とを進出させて一方型の型面に圧接することにより拡大キャビティが形成され、該キャビティに溶融樹脂を充填した後、該コア部と外周域成形用型板とを該型面に圧接させた状態を保ちつつ型閉めすることにより該溶融樹脂が加圧されるようにし、該溶融樹脂が冷却・固化した後の型開状態にて前記コア部と前記外周域成形用型板とを前記中央域成形用型板に対して相対的に後退動することにより該コア部と該外周域成形用型板とを前記合成樹脂製品から離脱させ、その後に該合成樹脂製品を前記中央域成形用型板から離脱させることを特徴とする射出圧縮成形法。
【発明の詳細な説明】
【技術分野】
【０００１】
本発明は、パチンコ等の弾球遊技機に設けられる合成樹脂製の遊技板、その他の成形精度を必要とする合成樹脂製品を成形する射出圧縮成形方法および射出圧縮成形用金型に関するものである。
【背景技術】
【０００２】
パチンコ遊技機の遊技板は、遊技球を遊技領域に誘導する２本のガイドレールが装着されると共に、ガイドレールで囲まれた遊技領域に図柄変動表示装置、入賞装置等の遊技部品が配置される。そして、これらの遊技部品の周辺に障害釘、風車等が植設され、これにより遊技領域を落下する遊技球の経路に変化を与えている。
近年、遊技板は、環境保護の観点や意匠上の観点から、従来の合板に代えて合成樹脂製のものが提案され、特に透明な合成樹脂により成形された遊技板は、裏面に配置した図柄変動表示装置や電飾等各種装飾部材をも遊技者から見ることができるので、従来の合板製のものではできない斬新なデザイン構成を採ることを可能にしている。
【０００３】
ところで、合成樹脂製の遊技板を製造するには、特許文献１に示された押出成形による方法と、特許文献２および特許文献３に示された射出成形による方法とが従来から知られている。
特許文献１に示された押出成形による方法は、先ず厚手の平板を押出成形し、該平板の所定位置に切削加工により上記のような遊技部品を取り付けるための貫通状の開口を形成するものである。このような押出成形による方法は、加工時間を要し生産効率がよくない欠点があるほか、貫通状の開口を切削することで生じた切削屑が無駄になるので材料歩留まりが悪く、特に大型ディスプレイや大型役物を取り付けるための大きな開口部を形成すると大量の切削屑が生じ、切削屑を廃棄処分する費用が嵩むと同時に、廃棄処分によって貴重な資源が無駄になるといった問題がある。
【０００４】
また、射出成形による方法は、金型によって遊技板を成形すると同時に遊技部品を取り付けるための開口も形成することができるので、生産性がよく、切削屑も生じないといった利点がある。しかし、周知のように一般に射出成形法は、合成樹脂が冷却する際の不揃いな収縮を防止し、ヒケ、反り、変形等が生じないようにするために、製品の肉厚を製品全体でほぼ均一になるように設定する必要がある。そのために、遊技板を射出成形する場合は、特許文献２および特許文献３に示されたように、多数のボスを遊技領域の裏面に一体に成形することで、肉厚をほぼ均一にしている。即ち、障害釘を打ち込むための釘孔が中心部に形成された多数のボスを遊技領域の裏面に突出状に形成することにより、該釘孔が一定以上の深さになるようにすることで、障害釘がぐら付くことなく固植できるようにしている。なお、特許文献２および特許文献３に示された方法では、射出成形用金型が離型する際にボスの上端面をスリーブピンと呼ばれる突出ピン（エジェクトピン）により突き出して、遊技板を該金型の成形面から離間させることにより、突出ピンの押圧跡が該ボスの上端面以外に残らないようにしている。
【０００５】
ところがこのようにボスが形成された遊技板では、遊技機の機種に従い障害釘の位置を変更しようとすると、該ボスの成形位置をも変更しなければならないので、射出成形用金型自体を変えなければならず、即座に機種に応じた微細な対処をすることが困難になるという問題がある。また、透明な合成樹脂により成形され、多数のボスを形成してなる遊技板は、該ボスが光を屈折、乱反射させ、透明性、透光性を損うために、上記のように遊技板内に図柄変動表示装置や電飾等各種装飾部材を配置しても、これらを透視し難くなるとともに光が透過し難くなるので、斬新で効果的な演出、装飾ができないという問題があった。
【０００６】
そこで、ボスを形成することなく、遊技板全体の肉厚を厚くすることで一定以上の深さの釘孔を確保し、障害釘がぐら付かないようにすることが考えられるが、そうすると、図２３に示した透明な遊技板のように、遊技部品を取り付けるための開口ａ〜ｅの周囲に突出ピンの押圧跡ｆが付き、特に遊技板の肉厚が厚くしかも大きな開口を形成する必要があるものでは該開口の付近を変形することなく離型させるために多数の突出ピンを配備する必要があるので多数の押圧跡ｆが付き、該押圧跡によって該遊技板の遊技領域の透視性が損なわれる。このため、遊技板全体の肉厚を厚くすることによっても透視性が損なわれるとういう問題点は解決できない状況であった。なお、図２３の符号ｈは、遊技領域ｇの外側（ガイドレールが装着されるラインの外側）の非遊技領域を示す。
【０００７】
一方、光学レンズ、ＣＤ等の精度を必要とする合成樹脂製品を成形するのに使用されている射出圧縮成形法は、固定型と可動型とがわずかに離した接近状態とすることでキャビティを少し拡大した状態にして溶融樹脂を充填し、充填が無理なく行われるようにした後、型締めして該溶融樹脂を加圧し、合成樹脂製品を成形する方法である。この射出圧縮成形法には、その金型構造から大きく分けて、ローリンクス法とマイクロモード法の二つが知られている。ローリンクス法で一般的なのは、図２４（イ）に示したように、固定型と可動型との間隔Ｓを少し開いた状態にて拡大キャビティＣを形成し、該キャビティ内に溶融樹脂を充填した後、図２４（ロ）に示したように型閉し、該キャビティ内の樹脂を加圧し成形する方法である。一方、マイクロモード法は、油圧シリンダにより進退動するコアをキャビティに設け、溶融樹脂を射出する前に圧縮量を見込んで該コアを後退させることによりキャビティ容量を拡大しておき、射出充填後に該コアを前進させ溶融樹脂を加圧する方法である。これらの射出圧縮成形法によれば、樹脂の分子配向が起こり難く、残留応力が減少することから、変形が少なく、高精度な合成樹脂製品を成形できる利点がある。
【先行技術文献】
【特許文献】
【０００８】
【特許文献１】特許第３７２０８２９号公報
【特許文献２】特開平４−３５４９５９号公報（図３を参照）
【特許文献３】特許第３１１８６１７号公報（図６を参照）
【発明の概要】
【発明が解決しようとする課題】
【０００９】
しかし、従来の射出圧縮成形法により遊技板を成形したとしても、肉厚が厚い遊技板では離型時に掛かるストレスによって上記のように押圧跡が付いたり変形を起こし易いという問題がある。このため上記のように従来から遊技板については、押出成形後に切削加工するといった製造方法が一般的であり、生産性が悪く、非効率であったために、製造コストが高いという問題がある。
本発明はこのような問題点を解決し得る射出圧縮成形法および射出圧縮成形用金型を提供しようとするものである。
【課題を解決するための手段】
【００１０】
そのために本発明に係る射出圧縮成形法は、固定型または可動型を一方型とし、該一方型と相対する固定型または可動型を他方型とする金型により、開口を有する板状の合成樹脂製品を成形する方法であって、合成樹脂製品の一方の面を成形するための型面が一方型に形成され、該合成樹脂製品の他方の面を成形する中央域成形用型板と、開口を形成するコア部と、該合成樹脂製品の外周域を成形する外周域成形用型板とが他方型に設けられ、コア部と外周域成形用型板とは中央域成形用型板に対して相対的に進退動可能に配設され、一方型と他方型とをわずかに離れた接近状態にすると共にコア部と外周域成形用型板とを進出させて一方型の型面に圧接することにより拡大キャビティが形成され、該キャビティに溶融樹脂を充填した後、該コア部と外周域成形用型板とを該型面に圧接させた状態を保ちつつ型閉めすることにより該溶融樹脂が加圧されるようにし、該溶融樹脂が冷却・固化した後の型開状態にて前記コア部を前記中央域成形用型板に対して相対的に後退動することにより該コア部を合成樹脂製品から離脱させ、その後に該合成樹脂製品を前記中央域成形用型板から離脱させることを特徴とする。
また、本発明は上記射出圧縮成形法において、前記外周域成形用型板を突き出すことにより前記合成樹脂製品を前記中央域成形用型板から離脱させることを特徴とする。
また、本発明に係る射出圧縮成形法は、固定型または可動型を一方型とし、該一方型と相対する固定型または可動型を他方型とする金型により、開口を有する板状の合成樹脂製品を成形する方法であって、合成樹脂製品の一方の面を成形するための型面が一方型に形成され、該合成樹脂製品の他方の面を成形する中央域成形用型板と、開口を形成するコア部と、該合成樹脂製品の外周域を成形する外周域成形用型板とが他方型に設けられ、コア部と外周域成形用型板とは中央域成形用型板に対して相対的に進退動可能に配設され、一方型と他方型とをわずかに離れた接近状態にすると共にコア部と外周域成形用型板とを進出させて一方型の型面に圧接することにより拡大キャビティが形成され、該キャビティに溶融樹脂を充填した後、該コア部と外周域成形用型板とを該型面に圧接させた状態を保ちつつ型閉めすることにより該溶融樹脂が加圧されるようにし、該溶融樹脂が冷却・固化した後の型開状態にて前記コア部と前記外周域成形用型板とを前記中央域成形用型板に対して相対的に後退動することにより該コア部と該外周域成形用型板とを前記合成樹脂製品から離脱させ、その後に該合成樹脂製品を前記中央域成形用型板から離脱させることを特徴とする。
【発明の効果】
【００１１】
本発明によれば、射出圧縮成形によって合成樹脂製品を高精度に成形することができるとともに、遊技板の遊技領域のような合成樹脂製品の主要部分に押圧跡等の傷が付くことがない。
【図面の簡単な説明】
【００１２】
【図１】本発明に係る合成樹脂製品である遊技板の斜視図。
【図２】本発明に係る合成樹脂製品である遊技板の裏面の斜視図。
【図３】図１のＡ−Ａ線断面図。
【図４】本発明に係る成形用金型における溶融樹脂射出前の縦断面図。
【図５】図４に示した成形用金型における溶融樹脂圧縮中の縦断面図。
【図６】図４に示した成形用金型の型閉状態の縦断面図。
【図７】図４に示した成形用金型の型開状態の縦断面図。
【図８】図４に示した成形用金型の先行離型手段が作動したときの縦断面図。
【図９】図４に示した成形用金型の後行離型手段が作動したときの縦断面図。
【図１０】図９に示した成形用金型の部分拡大図。
【図１１】本発明に係る成形用金型における溶融樹脂射出前の縦断面図。
【図１２】図１１に示した成形用金型における溶融樹脂圧縮中の縦断面図。
【図１３】図１１に示した成形用金型の型閉状態の縦断面図。
【図１４】図１１に示した成形用金型の型開状態の縦断面図。
【図１５】図１１に示した成形用金型の先行離型手段が作動したときの縦断面図。
【図１６】図１１に示した成形用金型の後行離型手段が作動したときの縦断面図。
【図１７】本発明に係る成形用金型における溶融樹脂射出前の縦断面図。
【図１８】図１７に示した成形用金型における溶融樹脂圧縮中の縦断面図。
【図１９】図１７に示した成形用金型の型閉状態の縦断面図。
【図２０】図１７に示した成形用金型の型開状態の縦断面図。
【図２１】図１７に示した成形用金型の先行離型手段が作動したときの縦断面図。
【図２２】図１７に示した成形用金型の後行離型手段が作動したときの縦断面図。
【図２３】従来の透明な合成樹脂製遊技板の正面図。
【図２４】従来の射出圧縮成形法を示す成形用金型の縦断面図。
【発明を実施するための形態】
【００１３】
図１〜図３に、本発明に係る射出圧縮成形用金型を使用し、透明なポリカーボネイト樹脂、ＡＢＳ樹脂、アクリロニトリル樹脂等の合成樹脂により一体成形された長方形板状の遊技板１を示す。該遊技板１の中央域２は遊技領域となる部分で、厚さ１０ｍｍ程度で表面が平坦なるように成形され、該中央域２に機種に応じた配置にて多数の障害釘が打ち込まれる。３は電子ディスプレイやセンター役物等の大型の遊技部品を取り付けるために中央域２に表裏貫通状に形成された大きな開口、４は該開口３の下部であって始動用可変入賞装置等の遊技部品を取り付けるために表裏貫通状に形成された開口、５は該開口４の下部であって大入賞口装置等の遊技部品を取り付けるために表裏貫通状に形成された開口、６は該遊技板１の下部両側に普通入賞装置、装飾部材等の遊技部品を取り付けるために表裏貫通状に形成された開口、７は通過チャッカー等の遊技部品を取り付けるために中央域２に表裏貫通状に形成された小さな開口である。なお、８は遊技板１の表面にガイドレール（図示せず）を固定ピンにより固定するためにガイドレールの長手方向に沿って所定間隔で多数形成した固定ピン差込用の小孔、９は遊技板１の四隅角部に組付、位置合わせ、配線通し等のために形成された貫通孔である。また、遊技板１の外周縁には裏側へ額縁状に突出するように外縁リブ１０が成形されている。なお、１１は非遊技領域である中央域２の外側（ガイドレールが装着されるラインの外側）の外周域を示す。
【実施例１】
【００１４】
次にこの遊技板１を成形する射出圧縮成形用金型および成形方法を図４〜図９に従い説明する。同図において、１８は固定盤、１９は可動盤を示し、固定盤１８の前面に桁部材１７を介して固定型２０が固設され、可動盤１９の前面に可動型２１が固設される。可動型２１は遊技板１の中央域２を含む前面全体を成形するための平坦な型面２２を形成している。１４は固定盤１８に設けられたスプルーブッシュ、１５はホットランナ、１６は固定盤１８の前面に突設された射出ノズルである。
【００１５】
固定型２０は、遊技板１の前記中央域２の裏面を成形するための中央域成形用型板３０と、前記開口３〜５を形成するためのコア部２３〜２５と、前記外縁リブ１０を成形するための外周域成形用型板３５を備えている。図中、３０ａ，３０ｂは外周域１１の裏面を成形するための中央域成形用型板３０の外周部位を示す。また、図示していないが、コア部２３〜２５の他、前記開口６，７を形成するためのコア部、および前記小孔８、貫通孔９を形成するためのコア部も備えられる。３１はこれらのコア部を進退動させるために該各コア部の背後に縦に設けられた支持棒、３２は該支持棒の基端部を止着させている支持プレート、３３は該支持プレート３２に固設した油圧シリンダ、３４は該支持棒３１の基端部を支持プレート３２上に止着するための止着プレートである。なお、油圧シリンダ３３のピストンロッドは固定盤１８の前面に止着されている。このため、油圧シリンダ３３が作動すると支持プレート３２が進退動し、各支持棒３１を介して各コア部２３〜２５を進退動させる。なお、この油圧シリンダ３３と支持プレート３２と支持棒３１により先行離型手段が構成される。
【００１６】
また、外周域成形用型板３５の背後に縦に支持棒３６が設けられ、該支持棒３６の基端部を支持プレート３７に当接させ、該基端部を止着プレート３９により支持プレート３７上に止着している。３８は該支持プレート３７に固設した油圧シリンダで、油圧シリンダ３８のピストンロッドも固定盤１８の前面に止着されている。このため油圧シリンダ３８が作動すると支持プレート３７が進退動し、支持棒３６を介して外周域成形用型板３５を進退動させる。なお、この油圧シリンダ３８と支持プレート３７と支持棒３６により後行離型手段が構成される。
なお、支持棒３１、油圧シリンダ３３、支持棒３６、油圧シリンダ３８等は、図示した本数に拘わらず必要に応じて複数設けられる。
【００１７】
このように構成した射出圧縮成形用金型では、図４に示したように、固定型２０と可動型２１とをわずかに離れた接近状態にし、油圧シリンダ３３を伸張作動させコア部２３〜２５およびその他のコア部を進出させてこれらのコア部を可動型２１の型面２２に圧接するとともに、油圧シリンダ３８を伸張作動させ外周域成形用型板３５を進出させて該外周域成形用型板３５を可動型２１の型面２２に圧接することにより、拡大キャビティ５０を形成する。そして射出ノズル１６から該拡大キャビティ５０に溶融樹脂を射出し該キャビティに溶融樹脂を充填する。その後、図５に示したように、該コア部２３〜２５と外周域成形用型板３５とを型面２２に圧接させた状態を保ちつつ可動型２１を進出させることにより該溶融樹脂を加圧し、図６に示した型閉状態にする。なお、このとき、可動型２１を進出させる型閉力に対し、油圧シリンダ３３、３８の抗張力を小さく設定することにより、コア部２３〜２５と外周域成形用型板３５を型面２２に圧接させた状態が保たれ、該キャビティ５０内の溶融樹脂を加圧することができる。
【００１８】
そして、キャビティ５０内の合成樹脂が冷却・固化して遊技板１が成形された後、図７に示したように可動型２１を後退させて型開し、この型開状態にて先行離型手段である油圧シリンダ３３を収縮作動させることにより図８に示したように支持プレート３２、支持棒３１を介してコア部２３〜２５を後退動させ、該コア部２３〜２５を遊技板１から離脱させる。このとき図示されてないその他のコア部も後退動し遊技板１から離脱する。この離脱作動時に、遊技板１の裏面全体が中央域成形用型板３０により支えられ圧力が分散されることから、過大なストレスが掛かって遊技板１を変形させるようなおそれがない。即ち、遊技板１は肉厚で大きな開口３〜６等が存在することから、コア部２３〜２５を抜く際の離型抵抗が相当大きいにも拘わらず、遊技板１は変形することなく、中央域２の裏面に傷や押圧跡を付けることもない。
【００１９】
次いで後行離型手段である油圧シリンダ３８を伸張作動させ、図９に示したように、支持プレート３７、支持棒３６を介して外周域成形用型板３５を進出動させることにより、遊技板１を中央域成形用型板３０から離脱させる。
なお、図示しないが、支持プレート３７に突出ピン（エジェクタピン）を設け、該突出ピンは遊技板１の外周域１１を突くように配置し、油圧シリンダ３８を作動させ外周域成形用型板３５と進出動するのと同時に該突出ピンが進出動するように構成してもよい。その場合、該突出ピンは遊技板１の外周域１１を突くように配置することにより、中央域２に押圧跡が付くことがないようにすることができる。
【００２０】
なおこの実施例では、図１０に部分拡大図を示したように、遊技板１の外縁リブ１０の外周面がテーパ面状に形成され、該テーパ面に外周域成形用型板３５を係合させることで、遊技板１を押し出し得るようにしている。このようにテーパ面状に形成することにより、遊技板１が外周域成形用型板３５から離脱し易くすることができる。
【実施例２】
【００２１】
次に本発明の実施例２を図１１〜図１６に従い説明する。この射出圧縮成形用金型は、実施例１と同様に、固定盤１８に桁部材１７を介して固定型２０が固設され、可動盤１９に可動型２１が固設され、該可動型２１に型面２２が形成されたもので、１４は固定盤１８に設けられたスプルーブッシュ、１５はホットランナ、１６は固定盤１８の前面に突設された射出ノズルである。
【００２２】
固定型２０は、遊技板１の中央域２の裏面を成形するための中央域成形用型板３０と、前記開口３〜５を形成するためのコア部２３〜２５と、外縁リブ１０を成形するための外周域成形用型板３５を備えている。なお、この実施例では中央域成形用型板３０を進退動可能なるようにするため、該中央域成形用型板３０と外周部位３０ａ，３０ｂとを別体に形成している。３１はこれらのコア部２３〜２５を進退動させるために該各コア部の背後に縦に設けられた支持棒、３６は外周域成形用型板３５を進退動させるために該外周域成形用型板３５の背後に縦に設けられた支持棒で、該支持棒３１および支持棒３６の基端部を支持プレート３２に止着させている。３４は該支持棒３１および支持棒３６の基端部を支持プレート３２上に止着するための止着プレートである。３３は該支持プレート３２に固設した油圧シリンダで、油圧シリンダ３３のピストンロッドを固定盤１８の前面に止着している。このため、油圧シリンダ３３が作動すると支持プレート３２が進退動し、支持棒３１および支持棒３６を介して各コア部２３〜２５および外周域成形用型板３５を同時に進退動させる。なお、この油圧シリンダ３３と支持プレート３２と支持棒３１および支持棒３６により先行離型手段が構成される。
【００２３】
また、４０は中央域成形用型板３０を進退動させるために必要に応じて該型板３０の背後に複数本設けられる支持棒、４１は該支持棒の基端部を止着させている支持プレート、４２は該支持プレートに固設した油圧シリンダで、該油圧シリンダ４２のピストンロッドを固定盤１８の前面に止着している。４３は該支持棒４０の基端部を支持プレート４１上に止着するための止着プレートである。この油圧シリンダ４２と支持プレート４１と支持棒４０により後行離型手段が構成され、該油圧シリンダ４２が作動すると、支持プレート４１が進退動し、支持棒４０を介して中央域成形用型板３０を進退動させる。支持棒４０および油圧シリンダ４２は図面では１本であるが、これらは中央域成形用型板３０を進退動させるために必要に応じて複数本設けられる。また、４４は前記外周部位３０ａを貫通するように設けた突出ピンで、該突出ピンの基端部は支持棒４０と同様に止着プレート４３によって支持プレート４１に止着される。なお、該突出ピン４４はその先端が遊技板１の外周域１１に当たるように配置される。
【００２４】
この射出圧縮成形用金型では、実施例１と同様に、図１１に示したように固定型２０と可動型２１とをわずかに離れた接近状態とし、油圧シリンダ３３を伸張作動させコア部２３〜２５および外周域成形用型板３５を進出させ、これらのコア部および外周域成形用型板を可動型２１の型面２２に圧接することにより、拡大キャビティ５０を形成する。そして射出ノズル１６から該拡大キャビティ５０に溶融樹脂を射出し該キャビティに溶融樹脂を充填した後、図１２に示したように、該コア部と外周域成形用型板３５とを型面２２に圧接させた状態を保ちつつ可動型２１を進出させることにより該溶融樹脂を加圧し、図１３に示した型閉状態とする。
【００２５】
そして合成樹脂が冷却・固化した後、図１４に示したように可動型２１を後退させることにより型開し、この型開状態にて先行離型手段である油圧シリンダ３３を作動（収縮）させることにより図１５に示したように支持プレート３２、支持棒３１、支持棒３６を介してコア部２３〜２５および外周域成形用型板３５を同時に一体的に後退動させ、コア部２３〜２５を遊技板１から離脱させると同時に外周域成形用型板３５を該遊技板１の外周域から離脱させる。なおこのとき図示されてないその他のコア部からも遊技板１を離脱させる。この離脱作動時に遊技板１の裏面全体が中央域成形用型板３０により支えられ圧力が分散されることから、過大なストレスにより遊技板１を変形させるおそれがない。即ち、コア部２３〜２５を抜く際に掛かる大きな離型抵抗によっても遊技板１は変形することなく、中央域２の裏面に傷や押圧跡を付けることもない。また、外周域成形用型板３５を同時に抜くことによってもさらに離型抵抗が増すが、中央域成形用型板３０により遊技板１の裏面全体が支えられることから遊技板１を変形させたり中央域２を傷付けるおそれがない。
【００２６】
次いで後行離型手段である油圧シリンダ４２を作動（伸張）させ、図１６に示したように、支持プレート４１、支持棒４０を介して中央成形用型板３０を進出動させると共に、突出ピン４４を進出動させる。これにより固定型２０の外周部位３０ａ，３０ｂから遊技板１を離脱させる。この際にも遊技板１の中央域２の裏面は中央域成形用型板３０により支えられた状態であるので、変形したり傷付くおそれがない。なお、この後は遊技板１を図示しないロボットアーム等により把持して取り出すことができる。
【実施例３】
【００２７】
次に本発明の実施例３として示す射出圧縮成形用金型および成形方法を図１７〜図２２に従い説明する。この射出成形用金型は、実施例２では中央域成形用型板３０を支持棒４０により進退動させる構成としたのに対し、中央域成形用型板３０および外周部位３０ａ，３０ｂを動かない構造としたものである。その他の構成は実施例２と同様であるので、同一部分または相当部分に同一符号を付す。なお、同図では、外周部位３０ｂにも突出ピン４４を設けている。
【００２８】
実施例３の射出圧縮成形用金型の場合も、図１７に示したように、固定型２０と可動型２１とをわずかに離れた接近状態とし、油圧シリンダ３３を伸張作動させ可動型２１の型面２２に圧接することにより、拡大キャビティ５０を形成し、該拡大キャビティ５０に溶融樹脂を充填した後、図１８に示したように、該コア部と外周域成形用型板とを型面２２に圧接させた状態を保ちつつ可動型２１を進出させることにより該溶融樹脂を加圧し、図１９に示した型閉状態にする。
【００２９】
そして合成樹脂が冷却・固化した後、図２０に示したように可動型２１を後退させて型開し、この型開状態にて油圧シリンダ３３を作動させることにより、図２１に示したようにコア部２３〜２５および外周域成形用型板３５を同時に一体的に後退動させ、コア部２３〜２５を遊技板１から離脱させると同時に外周域成形用型板３５を該遊技板１の外周域から離脱させる。この離脱作動時に遊技板１の裏面全体が遊技領域成形用型板３０により支えられ圧力が分散されることから、実施例１の場合と同様に、遊技板１が変形したり、中央域２を傷付けるおそれがない。
【００３０】
次いで、後行離型手段である油圧シリンダ４２を作動（伸張）させ、図２２に示したように、支持プレート４１、突出ピン４４を進出動させ、該突出ピン４４によって遊技板１を中央域成形用型板３０および外周部位３０ａ，３０ｂから離脱させる。このとき、突出ピン４４は外周域１１を押圧するように配置されていることから、中央域２に押圧跡を付けるおそれがない。この実施例３に示したように、本発明では中央域成形用型板３０を進退動しない構成にすることもできる。
【００３１】
なお、これらの実施例では、固定型２０に、コア部２３〜２５、中央域成形用型板３０、外周域成形用型板３５、および先行離型手段、後行離型手段等の遊技板１の裏面および外縁リブを成形するための機構を設け、可動型２１に遊技板１の前面を成形するための型面２２を形成したが、固定型に遊技板１の前面を成形するための型面を形成し、可動型に遊技板１の裏面および外縁リブを成形するためのこれらの機構を設けてもよい。即ち、固定型２０または可動型２１を一方型とし、該一方型と相対する固定型または可動型を他方型とすると、一方型に型面２２を形成し、他方型にコア部２３〜２５、中央域成形用型板３０および外周域成形用型板３５等を設ければよい。そして、先行離型手段を作動させてコア部と外周域成形用型板を中央成形用型板に対して相対的に後退動することにより該コア部および外周域成形用型板を遊技板から離脱させた後、中央域成形用型板から該遊技板を離脱させることにより、中央域に傷や押圧跡のない遊技板を射出圧縮成形により効率よく製造することができる。
【００３２】
このように本発明に係る射出圧縮成形法およびその成形用金型によれば、先行離型手段と後行離型手段とにより成形品を離型させることにより、成形品を傷付けることなく成形できるとともに、この機構を利用して溶融樹脂を加圧し圧縮成形することを可能にしたので、変形のない高精度な合成樹脂製品を成形することができる。そして、開口等を切削加工することを要しないので材料の歩留まり、および生産性がよく、遊技板の製造コストを大幅に軽減することができる。また、従来のように遊技板の裏面に傷や押圧跡が付いて遊技領域の透明性、透光性が損なわれるようなおそれがないので、図柄変動表示装置や電飾等各種装飾部材をパチンコ遊技機等の遊技機における遊技板１の内側に配置することにより、遊技者が遊技板１内を鮮明に透視できるようになるとともに、電飾の光がよく通り、斬新な演出を行うことができる。
【００３３】
なお、本発明によれば、成形品に傷や押圧跡が全くないように成形することを可能にするが、透明性、透光性の遊技板であっても、外周部位の非遊技領域のように特に透明性、透光性を必要とせず押圧跡があっても支障がないような部位を実施例に示したように突出ピンを設けて離型させるようにしてもよい。
また、本発明によって成形される遊技板は、無色透明のものに限らず、有色透明のものや半透明、透光性のものとすることもできる。
【産業上の利用可能性】
【００３４】
本発明に係る射出圧縮成形法およびその成形用金型によれば、実施例に示した遊技板に限らず、板状の合成樹脂製品を押圧跡等の傷を付けることなく、かつ変形を少なくして高精度に成形することができる。
【符号の説明】
【００３５】
１                  遊技板（合成樹脂製品）
２                  中央域
３〜７              開口
１０                外縁リブ
１１                外周域
２０                固定型
２１                可動型
２２                型面
２３〜２５          コア部
３０                中央域成形用型板
３１、３６、４０    支持棒
３２、３７、４１    支持プレート
３３、３８、４２    油圧シリンダ
３５                外周域成形用型板
４４                突出ピン
５０                拡大キャビティ
【図１】
0005875411.tif 000002
【図２】
0005875411.tif 000003
【図３】
0005875411.tif 000004
【図４】
0005875411.tif 000005
【図５】
0005875411.tif 000006
【図６】
0005875411.tif 000007
【図７】
0005875411.tif 000008
【図８】
0005875411.tif 000009
【図９】
0005875411.tif 000010
【図１０】
0005875411.tif 000011
【図１１】
0005875411.tif 000012
【図１２】
0005875411.tif 000013
【図１３】
0005875411.tif 000014
【図１４】
0005875411.tif 000015
【図１５】
0005875411.tif 000016
【図１６】
0005875411.tif 000017
【図１７】
0005875411.tif 000018
【図１８】
0005875411.tif 000019
【図１９】
0005875411.tif 000020
【図２０】
0005875411.tif 000021
【図２１】
0005875411.tif 000022
【図２２】
0005875411.tif 000023
【図２３】
0005875411.tif 000024
【図２４】
0005875411.tif 000025